(57)【要約】【課題】液体噴射装置において、液体に混入する異物を除去可能なフィルターを利用する場合に、フィルターの状態等の管理の負担を軽減する。【解決手段】インクを収容する収容室３１を有し、収容室３１にインクを補充可能なインクカートリッジ３０と、収容室３１からフィルター３３を経由して供給されるインクを噴射する印刷ヘッド４１と、フィルター３３の状態を推定する状態推定部と、報知を行う報知部とを備え、報知部は、状態推定部による推定状態に応じて、異なる報知を行う、インクジェットプリンター１。【選択図】図３
2019042961.tif 000002
【特許請求の範囲】
【請求項１】
液体を収容する収容室を有し、前記収容室に前記液体を補充可能な液体収容部と、
前記収容室からフィルターを経由して供給される前記液体を噴射する液体噴射部と、
前記フィルターの状態を推定する状態推定部と、
報知を行う報知部と、を備え、
前記報知部は、前記状態推定部による推定状態に応じて、異なる報知を行う、
液体噴射装置。
【請求項２】
前記状態推定部は、前記フィルターを経由して供給された前記液体の量が液体量閾値より多い場合に、前記フィルターが所定の詰まりを生じる第１状態であると推定する、
請求項１記載の液体噴射装置。
【請求項３】
前記収容室から前記フィルターを経由して供給される前記液体を吸引して前記液体噴射部へ送出するポンプを備え、
前記状態推定部は、前記ポンプの負荷が負荷閾値より大きい場合に前記フィルターが所定の詰まりを生じる第２状態であると推定する、
請求項２記載の液体噴射装置。
【請求項４】
前記報知部は、前記第１状態の場合、前記収容室への前記液体の補充を制限するよう報知を行い、前記第２状態の場合、さらに前記液体収容部の交換に関する報知を行う、
請求項３記載の液体噴射装置。
【請求項５】
液体を注入可能な注入口と、
前記液体を収容する収容室と、
前記収容室から外部に液体を供給する際に前記液体を通過させるフィルターと、
前記フィルターを通過して供給された前記液体の量を示す情報を記憶可能な記憶媒体と、を備え、
前記記憶媒体は、前記収容室の容積の２倍以上の前記液体が前記フィルターを通過して供給されるまでの情報を記憶可能である、
カートリッジ。
【請求項６】
前記フィルターは、少なくとも前記収容室の容積の１０倍以上の前記液体を通過させることが可能であり、
前記記憶媒体は、前記フィルターを通過して供給可能な前記液体の量の上限に対応する情報を記憶可能である、
請求項５記載のカートリッジ。
【請求項７】
前記記憶媒体は、前記フィルターを通過して供給された前記液体の量を前記収容室の容積を単位として示す情報を記憶する記憶領域を有する、
請求項５または６記載のカートリッジ。
【発明の詳細な説明】
【技術分野】
【０００１】
本発明は、液体噴射装置、及び、カートリッジに関する。
【背景技術】
【０００２】
従来、液体噴射装置として、インクを貯留するタンクを備え、貯留されたインクを印刷ヘッドに供給して印刷を行うインクジェットプリンターが知られている（例えば、特許文献１参照）。特許文献１に記載のインクジェットプリンターは、タンクにインクを補充可能に構成されている。
【先行技術文献】
【特許文献】
【０００３】
【特許文献１】特開平１１−４８４９２号公報
【発明の概要】
【発明が解決しようとする課題】
【０００４】
特許文献1記載のインクジェットプリンターのように、インクを補充可能な構成では、インクの補充に伴って、タンクに異物が入るおそれがある。このため、インクに混入された異物を除去可能な構成として、例えば、フィルターが設けられた構成とすることが望ましい。
しかしながら、インクジェットプリンター等の液体噴射装置にフィルターを設けた場合、フィルターの目詰まり等が生じていないかを管理する必要がある。
本発明は、上述した事情に鑑みてなされたものであり、液体噴射装置において、液体に混入する異物を除去可能なフィルターを利用する場合に、フィルターの状態等の管理の負担を軽減することを目的とする。
【課題を解決するための手段】
【０００５】
上記目的を達成するために、本発明は、液体を収容する収容室を有し、前記収容室に前記液体を補充可能な液体収容部と、前記収容室からフィルターを経由して供給される前記液体を噴射する液体噴射部と、前記フィルターの状態を推定する状態推定部と、報知を行う報知部と、を備え、前記報知部は、前記状態推定部による推定状態に応じて、異なる報知を行う。
本発明によれば、液体が通過したフィルターの状態を推定し、ユーザーに対してフィルターの状態に応じた報知を行うことがでるので、フィルターの状態等の管理の負担を軽減できる。
【０００６】
また、本発明は、前記状態推定部は、前記フィルターを経由して供給された前記液体の量が液体量閾値より多い場合に、前記フィルターが所定の詰まりを生じる第１状態であると推定する構成であってもよい。
この構成によれば、フィルターを経由して供給された液体の量を液体量閾値と大小比較することで、フィルターが所定の詰まりを生じる状態になっているかを精度良く推定できる。
【０００７】
また、本発明は、前記収容室から前記フィルターを経由して供給される前記液体を吸引して前記液体噴射部へ送出するポンプを備え、前記状態推定部は、前記ポンプの負荷が負荷閾値より大きい場合に前記フィルターが所定の詰まりを生じる第２状態であると推定する構成であってもよい。
この構成によれば、フィルターを経由して供給される液体を吸引するポンプの負荷を負荷閾値と大小比較することで、フィルターが所定の詰まりを生じる状態になっているかを精度良く推定できる。
【０００８】
また、本発明は、前記報知部は、前記第１状態の場合、前記収容室への前記液体の補充を制限するよう報知を行い、前記第２状態の場合、さらに前記液体収容部の交換に関する報知を行う構成であってもよい。
この構成によれば、フィルターの複数の状態のそれぞれに対応して報知を行うことができる。
【０００９】
また、上記課題を解決するために、本発明は、液体を注入可能な注入口と、前記液体を収容する収容室と、前記収容室から外部に液体を供給する際に前記液体を通過させるフィルターと、前記フィルターを通過して供給された前記液体の量を示す情報を記憶可能な記憶媒体と、を備え、前記記憶媒体は、前記収容室の容積の２倍以上の前記液体が前記フィルターを通過して供給されるまでの情報を記憶可能である。
本発明によれば、液体を補充可能なカートリッジを交換することで、フィルターを交換できる。また、カートリッジの記憶媒体にフィルターを通過した液体に関する情報を記憶でき、記憶媒体に記憶されている情報を用いてフィルターの状態を推定できる。カートリッジが異なる複数の液体噴射装置で用いられた場合でも、いずれの液体噴射装置でもカートリッジの記憶媒体に記憶される情報を用いてフィルターの状態を推定できる。
【００１０】
また、本発明は、前記フィルターは、少なくとも前記収容室の容積の１０倍以上の前記液体を通過させることが可能であり、前記記憶媒体は、前記フィルターを通過して供給可能な前記液体の量の上限に対応する情報を記憶可能である構成であってもよい。
この構成によれば、記憶媒体に、フィルターを通過して供給可能な量の上限まで、フィルターを通過した液体の量を記憶させることができる。このため、フィルターの状態が、いわゆる寿命に達するまで、カートリッジの記憶媒体に記憶された情報に基づき、フィルターの状態を管理できる。
【００１１】
また、本発明は、前記記憶媒体は、前記フィルターを通過して供給された前記液体の量を前記収容室の容積を単位として示す情報を記憶する記憶領域を有する構成であってもよい。
この構成によれば、記憶媒体の記憶領域の容量を低減できる。また、カートリッジの記憶媒体に記憶される情報と収容室の容積に応じた収容可能な液体の量を用いることにより、フィルターを通過した液体の量を計測できる。
【００１２】
本発明は、上述した液体噴射装置以外の種々の形態で実現することも可能である。例えば、上記の装置の処理を実行するためにコンピューター（或いはプロセッサー）が実行するプログラムとして実現してもよい。また、上記プログラムを記録した記録媒体、プログラムを配信するサーバー装置、上記プログラムを伝送する伝送媒体、上記プログラムを搬送波内に具現化したデータ信号等の形態で実現できる。
【図面の簡単な説明】
【００１３】
【図１】実施形態のインクジェットプリンターの外観斜視図。
【図２】インクジェットプリンターの要部正面図。
【図３】インクジェットプリンターの要部を示す模式図。
【図４】インクジェットプリンターの制御系の構成を示すブロック図。
【図５】表示パネルに表示される画面の例を示す図。
【図６】表示パネルに表示される画面の例を示す図。
【図７】表示パネルに表示される画面の例を示す図。
【図８】表示パネルに表示される画面の例を示す図。
【図９】表示パネルに表示される画面の例を示す図。
【図１０】表示パネルに表示される画面の例を示す図。
【図１１】インクジェットプリンターの動作を示すフローチャート。
【図１２】インクジェットプリンターの動作を示すフローチャート。
【図１３】インクジェットプリンターの動作を示すフローチャート。
【図１４】インクジェットプリンターの動作を示すフローチャート。
【発明を実施するための形態】
【００１４】
以下、図面を参照して本発明を適用した実施形態のインクジェットプリンター１について説明する。
【００１５】
図１は、インクジェットプリンター１の外観斜視図である。
図１に示すインクジェットプリンター１（液体噴射装置）は、印刷媒体の一例としての長尺状のメディアＭに対し、インクジェット方式により文字や画像等を印刷する印刷装置である。インクジェットプリンター１は、例えば、ホストコンピューター（図示略）に接続され、ホストコンピューターの制御に従って印刷を行う。
インクジェットプリンター１で使用するインクの色数は任意である。本実施形態では、一例として、シアン（Ｃ）、マゼンタ（Ｍ）、イエロー（Ｙ）、及びブラック（Ｋ）の４色のインクを使用して印刷する構成を説明する。
【００１６】
インクジェットプリンター１は、一対の脚台１０に支持された略直方体形状の本体１１を備える。以下の説明において、図１に現れた側を本体１１の前面とし、図中の左右に対応して本体１１の左右方向とする。
【００１７】
インクジェットプリンター１は、本体１１の後部に、メディアＭがロール状に巻き重ねられたロール体Ｒを収容する繰出部１２を備える。繰出部１２は、跳ね上げ式の開閉カバー１３を備え、開閉カバー１３が開かれた状態で、繰出部１２にロール体Ｒを補充可能となる。繰出部１２にはロール体Ｒを支持する一対のロール体支持部１４が配置される。ロール体支持部１４は、繰出モーター（図示略）に連結され、繰出モーターの動力によりロール体Ｒを回転させる。ロール体Ｒが回転することにより、繰出部１２から本体１１内にメディアＭが繰り出される。
【００１８】
本体１１の前面右部１１ａには、インクジェットプリンター１の動作状態に係る各種情報を表示し、ユーザーによるタッチ操作を検出するタッチパネル２０が配置される。
タッチパネル２０の下方には、インクカートリッジ収容部２１が設けられる。インクカートリッジ収容部２１には、インクジェットプリンター１が印刷に使用するインクを収容したインクカートリッジ３０（図２）が収容される。インクカートリッジ３０は、インクカートリッジ収容部２１に着脱可能であり、インクカートリッジ３０をインクカートリッジ収容部２１から取り外して交換できる。このとき、インクジェットプリンター１は、インクカートリッジ３０を取り外すことが可能な構成であってもよい。
【００１９】
図２は、インクジェットプリンター１の要部正面図である。
図２に示すように、インクカートリッジ収容部２１は、インクジェットプリンター１で使用される４色のインクをそれぞれ収容した４個のインクカートリッジ３０を装着するため、４つの装着部２２ａ、２２ｂ、２２ｃ、２２ｄを備える。
【００２０】
装着部２２ａ〜２２ｄは、左右方向に並べて配置される。装着部２２ａ、２２ｂ、２２ｃ、２２ｄには、インクカートリッジ３０ａ、３０ｂ、３０ｃ、３０ｄが、それぞれ装着される。インクカートリッジ３０ａはシアンのインクを収容し、インクカートリッジ３０ｂはマゼンタのインクを収容し、インクカートリッジ３０ｃはイエローのインクを収容し、インクカートリッジ３０ｄはブラックのインクを収容する。
【００２１】
以下の説明において、装着部２２ａ、２２ｂ、２２ｃ、２２ｄを区別しない場合は装着部２２と表記する。インクカートリッジ３０ａ、３０ｂ、３０ｃ、３０ｄを区別しない場合はインクカートリッジ３０と表記する。同様に、後述するＩＣチップ３４ａ、３４ｂ、３４ｃ、３４ｄ（図４）を区別しない場合はＩＣチップ３４と表記し、後述する読書部２３ａ、２３ｂ、２３ｃ、２３ｄ（図４）とを区別しない場合は読書部２３と表記する。
【００２２】
図３は、インクジェットプリンター１の要部を示す模式図である。
図３に示すように、インクジェットプリンター１は、インクをメディアＭに噴射する印刷ヘッド４１（液体噴射部）を備えた印刷部４０を有する。印刷ヘッド４１には、チューブ２６を経由して、装着部２２に装着されたインクカートリッジ３０からインクが供給される。
【００２３】
図３には１本のチューブ２６を介して１個のインクカートリッジ３０が接続された構成を図示するが、実際には、印刷ヘッド４１には、４本のチューブ２６を介して、４つのインクカートリッジ３０ａ、３０ｂ、３０ｃ、３０ｄがそれぞれ接続される。図３では、説明の便宜のため、インクカートリッジ収容部２１については、１つの装着部２２に装着された１個のインクカートリッジ３０に係る構成を図示する。
【００２４】
インクカートリッジ３０は、インクを収容する中空の収容室３１を有する。収容室３１の容積は任意であるが、本実施形態では、例えば１Ｌ（リットル）のインクを収容可能とする。本実施形態では、インクカートリッジ３０が本発明の液体収容部に相当する。収容室３１の外壁には透光性の窓部３７が形成される。窓部３７を通じて、収容室３１に貯留されたインクの残量をインクジェットプリンター１の前方から目視できる構成である。
【００２５】
インクカートリッジ３０の上部には、注入口３２が設けられる。注入口３２は、インクカートリッジ３０の外部と収容室３１に連通する開口であり、着脱可能なキャップ部材（図示略）により封止される。キャップ部材が取り外された状態で、注入口３２から収容室３１にインクを補充可能である。
【００２６】
インクジェットプリンター１においては、インクカートリッジ３０のインクの残量が少ない状態で、インクカートリッジ３０を交換することでインクを補充できる。また、インクカートリッジ３０を装着部２２から取り外して、注入口３２からインクをインクカートリッジ３０に補充することもできる。この場合、インクを補充したインクカートリッジ３０を、装着部２２に装着することで、インクジェットプリンター１により印刷を継続できる。つまり、注入口３２からインクを補充することで、１つのインクカートリッジ３０を、継続して、繰り返し使用できる。
【００２７】
インクカートリッジ３０には、インクに混入された異物を除去するフィルター３３が設けられる。フィルター３３は、メッシュ状、シート状、或いは網状に形成され、例えば、不織布または金属性の網によって形成される。
【００２８】
収容室３１の底部にはチューブ２６に繋がる排出口３５が設けられ、フィルター３３は、排出口３５またはその近傍に取り付けられる。
【００２９】
インクジェットプリンター１は、インクカートリッジ３０からインクを吸引するポンプ２４を備える。ポンプ２４は、例えば、図３に示すようにインクカートリッジ３０の直下に設けられ、装着部２２に装着されたインクカートリッジ３０の排出口３５に連通する。ポンプ２４は、ポンプモーター２５を備え、ポンプモーター２５の動力により、収容室３１のインクをチューブ２６に送出する。これにより、インクカートリッジ３０から印刷ヘッド４１にインクが移送され、印刷に供される。
【００３０】
インクジェットプリンター１は、ポンプモーター回転検出部２７と、温度センサー２８（温度検出部）とを備える。ポンプモーター回転検出部２７は、例えば、図３に示すようにポンプモーター２５に設けられ、ポンプモーター２５の回転を検出する。ポンプモーター回転検出部２７は、例えば、エンコーダーまたはレゾルバーを用いて構成される。
【００３１】
温度センサー２８は、インクの温度を検出するセンサーであり、例えば、サーミスターによって構成される。詳細には、温度センサー２８は、ポンプ２４により送出されるインクの温度、或いは、フィルター３３を通過するインクの温度を検出するために利用される。このため、温度センサー２８は、フィルター３３またはポンプ２４に近い位置に配置されることが好ましい。具体的には、温度センサー２８は、チューブ２６に取り付けられる。より好ましくは、温度センサー２８は、インクカートリッジ収容部２１内においてチューブ２６に接触し、或いは近接する位置に配置される。
【００３２】
インクカートリッジ３０は、記憶媒体であるＩＣ（Ｉｎｔｅｇｒａｔｅｄ  Ｃｉｒｃｕｉｔ）チップ３４を備える。ＩＣチップ３４は、不揮発性メモリーを備え、データを不揮発的に、書き換え可能に記憶する記憶領域を有する。ＩＣチップ３４は、例えば、図３に示すように、インクカートリッジ３０の外面に取り付けられる。
【００３３】
インクカートリッジ収容部２１には、インクカートリッジ３０が装着部２２に装着された状態で、ＩＣチップ３４に対する情報の書込及び読取を実行する読書部２３が設けられる。インクカートリッジ３０が接触式のＩＣチップ３４を備える場合、読書部２３はＩＣチップ３４と接触して通信する構成である。また、インクカートリッジ３０が非接触式のＩＣチップ３４を備える場合、読書部２３は、ＩＣチップ３４と非接触通信を行うためのアンテナ（図示略）やＲＦ回路（図示略）を備える。
【００３４】
上述のように、インクカートリッジ収容部２１には各色のインクをそれぞれ収容する複数のインクカートリッジ３０が収容可能であり、インクカートリッジ３０の数に対応する装着部２２が設けられる。読書部２３は、各々の装着部２２に対応して複数配置され、インクジェットプリンター１は、各々のインクカートリッジ３０が有するＩＣチップ３４に対し、個別にデータの書込および読取を行うことができる。
【００３５】
また、図３に示した読書部２３、ポンプ２４、ポンプモーター２５、ポンプモーター回転検出部２７、および、温度センサー２８は、装着部２２に装着される各々のインクカートリッジ３０に対応して設けられる。本実施形態では４個のインクカートリッジ３０ａ〜３０ｄに対応して、読書部２３、ポンプ２４、ポンプモーター２５、ポンプモーター回転検出部２７、および、温度センサー２８が、それぞれ４個設置される構成とすることができる。
【００３６】
図４は、インクジェットプリンター１の制御系の構成を示すブロック図である。
インクジェットプリンター１は、制御部５０を備える。制御部５０は、ＣＰＵ（Ｃｅｎｔｒａｌ  Ｐｒｏｃｅｓｓｉｎｇ  Ｕｎｉｔ）やマイコン等のプロセッサー（図示略）を備え、このプロセッサーによりプログラムを実行することにより、インクジェットプリンター１の各部を制御する。制御部５０は、プロセッサーのほか、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備えてもよい。ＲＡＭは、プロセッサーが実行するプログラムや処理対象のデータ等を一時的に記憶するワークエリアを形成する。ＲＯＭは、プロセッサーが実行する基本制御プログラムや、各種設定値などを含むデータを不揮発的に記憶する。
【００３７】
制御部５０には、タッチパネル２０、インクカートリッジ収容部２１、通信部６０、及び記憶部７０が接続される。また、制御部５０には、制御対象のセンサーとして、ポンプモーター回転検出部２７、及び温度センサー２８が接続され、制御部５０は、これら各センサーの検出値を取得する。これらのセンサーは、ゲートアレイ（図示略）等のセンサー駆動用の素子を介して制御部５０に接続されてもよい。
【００３８】
タッチパネル２０は、表示パネル２０ａと、タッチセンサー２０ｂとを備える。表示パネル２０ａは、液晶ディスプレイ、ＥＬ（Ｅｌｅｃｔｒｏ  Ｌｕｍｉｎｅｓｃｅｎｔ）ディスプレイ等により構成される。表示パネル２０ａは、各種画像を表示する表示部および報知部として機能し、制御部５０の制御に従って各種情報を表示する。タッチセンサー２０ｂは、タッチパネル２０に対するユーザーのタッチ操作を検出し、操作位置を示す操作信号を制御部５０に出力する。制御部５０は、タッチセンサー２０ｂからの信号に基づいて、ユーザーのタッチ操作に対応する処理を実行する。
【００３９】
図４には、インクカートリッジ３０ａ、３０ｂ、３０ｃ、３０ｄの各々が有するＩＣチップ３４ａ、３４ｂ、３４ｃ、３４ｄを図示する。同様に、インクカートリッジ収容部２１の装着部２２ａ、２２ｂ、２２ｃ、２２ｄに対応して設けられる読書部２３ａ、２３ｂ、２３ｃ、２３ｄを図示する。
【００４０】
ＩＣチップ３４が記憶するデータは任意に構成可能であるが、本実施形態で、ＩＣチップ３４が記憶するデータは、インクカートリッジ３０を識別可能な識別情報を含む。識別情報は、例えば、個々のインクカートリッジ３０に付与されるシリアル番号である。識別情報は、例えば、装着部２２に装着されたインクカートリッジ３０が取り外され、新たにインクカートリッジ３０が装着された場合に、新旧のインクカートリッジ３０が同一であるか否かを判定するために利用できる。
【００４１】
また、ＩＣチップ３４が記憶するデータは、フィルター３３を通過したインクの量（以下、インク通過量という）に関する情報を含む。例えば、インクカートリッジ３０ａに装着されたＩＣチップ３４ａには、インクカートリッジ３０ａが有するフィルター３３を通過したインクの量を示す情報を含むデータが記憶される。この情報は、例えば、インクカートリッジ３０にインクが補充された回数（以下、インク補充回数という）、或いは、印刷ヘッド４１により消費（噴射）されたインクの量（以下、インク消費量）である。
【００４２】
換言すれば、インクジェットプリンター１は、フィルター３３を通過したインクの量と相関を有する量であって、検出、測定または算出可能な量として、インク補充回数、および／または、インク消費量を利用する。インク補充回数は、ユーザーがインクカートリッジ３０にインクを補充したことを検出する方法、或いは、インクを補充したことをユーザーに入力させる方法により、得ることができる。また、制御部５０は、印刷ヘッド４１を駆動させる制御において、印刷ヘッド４１が有するノズル（図示略）のうちインクを噴射するノズルを指定するので、制御部５０によって印刷ヘッド４１から噴射されたインクの量を算出できる。
【００４３】
インクカートリッジ３０に対し、１回に補充されるインクの量（以下、補充量という）は、補充用に用意されるインクのパッケージサイズ、或いは、収容室３１の容量から推定可能である。このため、インク補充回数に、１回に補充されるインクの量を乗じることで、インクカートリッジ３０から印刷ヘッド４１に供給されたインクの量を求めることができ、このインクの量は、インク通過量と見なすことができる。
【００４４】
フィルター３３は、収容室３１からチューブ２６に送出されるインクに混入する異物を除去するので、フィルター３３を通過したインクが多くなるほど、フィルター３３で捕集される異物が増え、濾過性能が低下する可能性がある。このため、インクジェットプリンター１のユーザーに対しては、フィルター３３が目詰まりする前に、フィルター３３を交換することが推奨される。フィルター３３の交換は、上述のように、インクカートリッジ３０を交換することで、容易に行うことができる。
【００４５】
インクジェットプリンター１は、フィルター３３の目詰まり等による不具合が生じる前に、フィルター３３の交換を促すため、ユーザーに対する報知を行う。この目的に対応して、インクジェットプリンター１では、フィルター３３の「寿命」として閾値が設定される。フィルター３３の寿命は、インク通過量の値として設定され、例えば、数１０Ｌである。ＩＣチップ３４が記憶するインク補充回数、またはインク消費量から求められるインク通過量が、寿命として設定された閾値の量を超えると、インクジェットプリンター１は報知を行う。報知に係る動作については後述する。
【００４６】
ＩＣチップ３４は、上述した識別情報を記憶する記憶領域３４１と、インク通過量に関する情報を記憶する記憶領域３４２を有する。詳細には、ＩＣチップ３４ａは、識別情報を記憶する記憶領域３４１ａ、および、インク通過量に関する情報を記憶する記憶領域３４２ａを有する。ＩＣチップ３４ｂ、３４ｃ、３４ｄも同様に、記憶領域３４１ｂ、３４１ｃ、３４１ｄと、記憶領域３４２ｂ、３４２ｃ、３４２ｄをそれぞれ有する。
【００４７】
記憶領域３４１ａ、３４１ｂ、３４１ｃ、３４１ｄは、それぞれ、インクカートリッジ３０ａ、３０ｂ、３０ｃ、３０ｄに固有の識別情報を記憶する。
記憶領域３４２ａ、３４２ｂ、３４２ｃ、３４２ｄは、それぞれ、インクカートリッジ３０ａ、３０ｂ、３０ｃ、３０ｄが備えるフィルター３３のインク通過量に関する情報を記憶する。このため、記憶領域３４２ａ、３４２ｂ、３４２ｃ、３４２ｄは、少なくとも、インク通過量の上限値を記憶可能な容量を有する領域である。インク通過量の上限値は、例えば、フィルター３３の寿命として設定されたインク通過量である。
【００４８】
フィルター３３の寿命が５０Ｌに設定される場合を例に挙げると、記憶領域３４２がインク補充回数を記憶する場合には、インクカートリッジ３０の容量が１Ｌであることから、インク補充回数の上限値は「５０」となる。この値（十進数の「５０」）を、例えば、二値のデータで記憶領域３４２に書き込む場合、記憶領域３４２は「110010」を記憶できるように、少なくとも６ビットの値を記憶可能な容量を有する。記憶領域３４２がインク消費量を記憶する場合も同様である。この場合、インク消費量の単位が、リットル（Ｌ）やミリリットル（ｍＬ）など、フィルター３３の寿命の値に合わせて適切に設定されていれば、記憶領域３４２に記憶されるデータの桁数を抑えることができる。このように、本実施形態では、収容室３１の容積を単位として示す情報であるインク補充回数、或いは、インク消費量により、フィルター３３の寿命が表現され、これらの情報がＩＣチップ３４に記憶される。
【００４９】
ＩＣチップ３４が記憶するインク補充回数および／またはインク消費量は、厳密な管理を必要としない。フィルター３３の寿命を、フィルター３３の目詰まり等による不具合が発生しない程度に、安全率を加味して設定すれば、インクカートリッジ３０の容積を単位として管理すればよい。このため、インク補充回数またはインク消費量を、例えば整数として、ＩＣチップ３４に記憶させれば、フィルター３３の寿命を適切に管理でき、小数部を有するような数を記憶させる構成は必要ない。このため、必要な記憶領域３４２の容量を抑えることができ、ＩＣチップ３４の記憶領域を有効に利用できる。
【００５０】
通信部６０は、制御部５０の制御により、ホストコンピューター（図示略）等の外部装置と有線または無線で通信し、ホストコンピューターが送信するコマンドや印刷データを受信して、制御部５０に出力する。
【００５１】
記憶部７０は、半導体メモリー素子や磁気的記憶装置により構成され、制御部５０により処理される各種データを記憶する。
記憶部７０は、例えば、インクカートリッジ３０ａ〜３０ｄのＩＣチップ３４ａ〜３４ｄから読み取った識別情報を記憶する。
【００５２】
制御部５０には、制御対象の動作部として、メディアＭを搬送する搬送部８０、メディアＭに印刷する印刷部４０、及び、ポンプモーター２５が接続される。搬送部８０は、例えば、ロール体支持部１４（図１）を駆動する繰出モーター（図示略）を含む。
【００５３】
また、ポンプモーター２５は、駆動用の電力を生成して出力するモーター制御ＩＣ（図示略）を介して制御部５０に接続されてもよい。この場合、モーター制御ＩＣに、ポンプモーター回転検出部２７を設けてもよい。ポンプモーター２５は、モーター制御ＩＣから供給される電圧または電流により、例えば、ＰＷＭ（Ｐｕｌｓｅ  Ｗｉｄｔｈ  Ｍｏｄｕｌａｔｉｏｎ）制御される。
【００５４】
印刷部４０は、印刷ヘッド４１のほか、印刷ヘッド４１を駆動する駆動回路（図示略）、印刷ヘッド４１を搭載するキャリッジ（図示略）、キャリッジを走査させる走査モーター（図示略）、走査モーターを駆動するモータードライバー（図示略）等を備える。
【００５５】
印刷部４０は、制御部５０の制御に従って、メディアＭの搬送方向に対して交差する方向にキャリッジを走査させ、印刷ヘッド４１からインクを噴射することにより、メディアＭに文字や画像等を印刷する。
【００５６】
制御部５０は、通信部６０によりホストコンピューターから受信したコマンドやデータを、受信バッファー（図示略）に一時的に記憶させる。制御部５０は、受信バッファーに記憶させたコマンド及びデータを順次読み出して実行する。制御部５０は、コマンド及び印刷データに基づき、搬送部８０、印刷部４０、及びポンプモーター２５を制御して、コマンドとともに受信した印刷データに基づく文字や画像等をメディアＭに印刷する。
【００５７】
制御部５０は、通信制御部５０ａと、表示制御部５０ｂと、読書制御部５０ｃと、計測部５０ｄと、モーター負荷判定部５０ｅと、インク温度判定部５０ｆと、状態推定部５０ｇと、カートリッジ交換判定部５０ｈと、報知制御部５０ｉとを備える。制御部５０は、ＲＯＭ等に記憶されるプログラムを読み出して、プロセッサーで実行させることにより、これらの各機能部５０ａ〜５０ｉとして機能する。
【００５８】
通信制御部５０ａは、通信部６０を制御して、インクジェットプリンター１の外部の装置との間で通信を実行させる。
【００５９】
表示制御部５０ｂは、表示パネル２０ａに、文字や画像等の各種情報を表示させる。
図５は、表示パネル２０ａに表示される画面の例を示す図であり、インクジェットプリンター１が印刷を実行する状態で表示される表示画面１００を示す。
【００６０】
表示画面１００には、ユーザーに対してインクカートリッジ３０のインクの液面を確認することを促すメッセージ１００ａが表示される。また、表示画面１００の下部には、インクの各色を示す文字１００ｂがそれぞれ表示される。文字１００ｂの表示位置は、タッチパネル２０の下方に設けられる装着部２２ａ〜２２ｄにそれぞれ装着されるインクカートリッジ３０ａ〜３０ｄの位置に対応する。
【００６１】
表示画面１００には、装着部２２ａ〜２２ｄに装着されるインクカートリッジ３０ａ〜３０ｄと同じ数の補充ボタン１００ｃが、インクカートリッジ３０ａ〜３０ｄの位置に対応して配置される。補充ボタン１００ｃは、ユーザーがインクカートリッジ３０にインクを補充した場合の操作を受け付ける補充ボタンである。また、表示画面１００には、インクを補充した場合に補充ボタン１００ｃの操作を促すメッセージ１００ｄが表示される。
【００６２】
図４の読書制御部５０ｃは、読書部２３ａ〜２３ｄをそれぞれ制御し、ＩＣチップ３４ａ〜３４ｄの各々に対し、個別に情報の書込、および、読取を行う。読書制御部５０ｃがＩＣチップ３４ａ〜３４ｄから読み取る情報は、例えば、インクカートリッジ３０の識別情報、インク通過量に関する情報である。また、読書制御部５０ｃがＩＣチップ３４ａ〜３４ｄに対し書き込む情報は、例えば、インクの通過量に関する情報である。
【００６３】
計測部５０ｄは、インクカートリッジ３０ａ〜３０ｄの各々についてインク通過量を計測する。より詳細には、計測部５０ｄは、インク通過量を求めるために、インク通過量に関する情報として、インク消費量、および／またはインク補充回数を計測する。計測部５０ｄは、インクカートリッジ３０が交換された場合、すなわち新しいインクカートリッジ３０が装着部２２に装着された場合に、装着されたインクカートリッジ３０に対応するインク通過量に関する情報を０にリセットする。計測部５０ｄは、インクジェットプリンター１の動作、および、ユーザーによる補充ボタン１００ｃの操作に応じて、インク通過量に関する情報を計測する。
【００６４】
計測部５０ｄの具体的な計測方法は、上述したように、印刷ヘッド４１に供給したインクの量を積算することによってインク消費量を求める方法、および、補充ボタン１００ｃの操作回数に基づきインク補充回数をカウントする方法が挙げられる。インク消費量、および、インク補充回数からインク通過量を求める方法は上述した通りである。
【００６５】
計測部５０ｄは、インク消費量の計測、および、インク補充回数のカウントのうち、少なくともいずれかを行う。例えば、事前の設定、ユーザーの操作による指示、または、ホストコンピューター（図示略）から入力されるコマンドにより、インク消費量の計測を行うか、インク補充回数のカウントを行うかが個別に指定されてもよい。また、計測部５０ｄは、インク消費量の計測、および、インク補充回数のカウントの両方を実行してもよい。計測部５０ｄは、インク消費量の計測、および、インク補充回数のカウントのいずれも、個々のインクカートリッジ３０毎に行う。具体的には、計測部５０ｄは、ＲＡＭ（図示略）にインク消費量および／またはインク補充回数を、ＩＣチップ３４から読み取った識別情報に対応付けて記憶し、これらの値の積算やカウント等を実行する。
【００６６】
計測部５０ｄは、インク消費量を積算する場合、インクジェットプリンター１の起動時またはインクカートリッジ３０が装着部２２にセットされたときに、ＩＣチップ３４からインク消費量を読み取る。計測部５０ｄは、印刷ヘッド４１に供給されるインクの量を、ＩＣチップ３４から読み取ったインク消費量に加算する。計測部５０ｄは、加算したインク消費量を、インクジェットプリンター１の電源がＯＦＦにされる場合、或いは任意のタイミングで、ＩＣチップ３４に書き込む。
【００６７】
計測部５０ｄは、インク消費量を積算する場合に、印刷ヘッド４１による印刷動作で供給されるインクの量に加えて、印刷ヘッド４１のメンテナンスのために実行するフラッシング動作や、クリーニング動作において供給されるインクの量を積算してもよい。
【００６８】
計測部５０ｄは、インク補充回数をカウントする場合、インクジェットプリンター１の起動時またはインクカートリッジ３０が装着部２２にセットされたときに、ＩＣチップ３４からインク補充回数を読み取る。計測部５０ｄは、補充ボタン１００ｃ（図５）が操作される毎に、インク補充回数を加算する。計測部５０ｄは、カウントしたインク補充回数を、インクジェットプリンター１の電源がＯＦＦにされる場合、或いは任意のタイミングで、ＩＣチップ３４に書き込む。
【００６９】
モーター負荷判定部５０ｅは、各色のインクに対応したポンプモーター２５の各々について、負荷の状態を取得、および判定する。詳細には、モーター負荷判定部５０ｅは、ポンプモーター２５の負荷の値を取得する。例えば、モーター制御ＩＣ（図示略）で生成されたポンプモーター２５に供給する電圧または電流と、ポンプモーター回転検出部２７の検出値から得られるポンプモーター２５の回転数とに基づき、負荷の値を取得する方法が挙げられる。この場合、例えば、ポンプモーター２５の電圧と、ポンプモーター２５の回転数と、負荷の値との関係をマップ化したデータをＲＯＭまたは記憶部７０に記憶しておくことにより、モーター負荷判定部５０ｅは、マップを参照して速やかに負荷の値を取得できる。
【００７０】
モーター負荷判定部５０ｅは、取得した負荷の値と負荷閾値とを比較し、大小判定をすることにより、負荷の値が負荷閾値よりも大きい場合には過負荷と判定する。負荷閾値は、モーター負荷判定部５０ｅが、ポンプモーター２５が過負荷か否かを判定するための閾値として予め設定された値であり、例えばＲＯＭまたは記憶部７０に予め記憶される。
また、モーター負荷判定部５０ｅは、所定の時間間隔をあけて取得した２つの負荷の値を比較し、大小判定することにより、所定時間経過後にした取得した負荷の値が大きくなっている場合にポンプモーター２５の負荷が増大したと判定する。
【００７１】
ところで、ポンプモーター２５の負荷を変動させる要素としては、フィルター３３の目詰まりの状態、および、インクの粘度が挙げられる。つまり、ポンプモーター２５の負荷を判定することにより、フィルター３３の目詰まりの状態を推定することが可能であるが、この推定においてインクの粘度を考慮することが望ましい。インクの粘度については、例えば、アンドレードの式によって、インクの温度との相関が与えられる。このため、モーター負荷判定部５０ｅが判定したポンプモーター２５の負荷と、温度センサー２８により検出されるインクの温度とに基づいて、フィルター３３の目詰まりの状態に関する情報を得ることができる。
【００７２】
インク温度判定部５０ｆは、温度センサー２８で検出された検出値に基づき、インクの温度が、予め設定された温度閾値以上か否かを判定する。温度閾値は、インクの温度と粘度との関係等を考慮して設定され、記憶部７０に予め記憶される。インク温度判定部５０ｆは、インクカートリッジ３０ａ〜３０ｄの各々に対応して設けられる複数の温度センサー２８の検出値に対し、個別に判定を行う。
【００７３】
状態推定部５０ｇは、計測部５０ｄの計測結果、モーター負荷判定部５０ｅの判定結果、および、インク温度判定部５０ｆの判定結果に基づいて、インクカートリッジ３０ａ〜３０ｄの各々が備えるフィルター３３の状態を推定する。
【００７４】
状態推定部５０ｇは、第１の推定動作として、計測部５０ｄの計測結果から求められるインク通過量に基づき、フィルター３３の状態を推定する。
インクジェットプリンター１では、インク通過量からフィルター３３の状態を推定するための閾値として、第１インク量閾値、第２インク量閾値、および、第３インク量閾値（液体量閾値）を有する。これらの閾値は、例えば、フィルター３３を構成する材料等を考慮して設定され、記憶部７０に予め記憶される。第３インク量閾値は、フィルター３３に目詰まりを生じる状態を判定するための閾値であり、第２インク量閾値は、第３インク量閾値よりも小さく、第１インク量閾値は、第２インク量閾値よりも小さい。
【００７５】
状態推定部５０ｇは、インク通過量を第３インク量閾値と比較することにより、インク通過量が第３インク量閾値以上の場合には、フィルター３３の目詰まりにより、インクの濾過性能について一定の性能以下が生じた状態であると推定する。この状態は、本発明の第１状態に相当し、いわゆるフィルター３３の寿命（使用限界）に達した状態である。
【００７６】
状態推定部５０ｇは、フィルター３３が現実に使用限界に達するよりも前にユーザーに対して報知を行うため、第１インク量閾値、および、第２インク量閾値に基づく推定を行う。具体的には、状態推定部５０ｇは、インク通過量を第２インク量閾値と比較し、大小判定をすることにより、フィルター３３の状態が、使用限界に近い状態であると推定する。また、状態推定部５０ｇは、インク通過量を第１インク量閾値と比較し、大小判定をすることにより、フィルター３３の状態が、使用限界に比較的近い状態であると推定する。
【００７７】
状態推定部５０ｇは、第２の推定動作として、モーター負荷判定部５０ｅの判定結果とインク温度判定部５０ｆの判定結果とに基づき、フィルター３３の状態を推定する。具体的には、状態推定部５０ｇは、モーター負荷判定部５０ｅによりポンプモーター２５の状態が過負荷と判定され、かつ、インク温度判定部５０ｆでインクの温度が温度閾値以上と判定された場合、フィルター３３の状態が、目詰まりを生じている状態と推定する。本実施の形態では、この推定された状態が、本発明の第２状態に相当し、フィルター３３の至急の交換が推奨される状態である。
【００７８】
状態推定部５０ｇが第１状態を推定する方法は、フィルター３３を通過するインク通過量を検出または測定し、インク通過量に基づいて推定する方法である。この方法によれば、簡易にフィルターの状態を推定できるという利点がある。また、状態推定部５０ｇが第２状態を推定する方法は、ポンプモーター２５の動作状態に基づいてフィルターの状態を推定する方法である。つまり、状態推定部５０ｇは、フィルター３３の状態がインクジェットプリンター１の動作状態に与える影響を検出または測定し、この検出結果または測定結果に基づいて、フィルターの状態を推定する。この方法によれば、実際にインクジェットプリンター１の動作状態を検出または測定した結果により推定を行うことから、第１状態を推定する方法に比べて、より的確にフィルター３３の状態を推定できる。
【００７９】
カートリッジ交換判定部５０ｈは、装着部２２ａ〜２２ｄに装着されたインクカートリッジ３０ａ〜３０ｄの各々について、別のインクカートリッジ３０に交換されたか否かを判定する。上述のように、読書制御部５０ｃは、装着部２２ａ〜２２ｄのいずれかにインクカートリッジ３０が装着されたときにＩＣチップ３４から識別情報を読み取り、制御部５０のＲＡＭまたは記憶部７０に、識別情報を記憶する。識別情報は、装着部２２ａ〜２２ｄのそれぞれに対応付けて記憶される。カートリッジ交換判定部５０ｈは、装着部２２ａ〜２２ｄのそれぞれについて、ＩＣチップ３４から読み取られた識別情報が、それ以前に記憶された識別情報と一致するか否かに基づき、インクカートリッジ３０が交換されたか否かを判定する。
【００８０】
報知制御部５０ｉは、状態推定部５０ｇ、及びカートリッジ交換判定部５０ｈの判定結果に基づき、インクカートリッジ３０ａ〜３０ｄの各々について、表示パネル２０ａに情報を表示させることで報知を行う。
【００８１】
図６〜図９に、報知の具体例を示す。
図６は、表示パネル２０ａに表示される画面の例を示す図であり、フィルター寿命に関する報知を行うための事前画面１０１の一例を示す。
【００８２】
図６の事前画面１０１には、フィルター３３の状態が、使用限界に近いことを報知するメッセージ１０１ａが表示される。メッセージ１０１ａは、装着部２２ａ〜２２ｄに装着されているインクカートリッジ３０ａ〜３０ｄのうち、報知の対象であるインクカートリッジ３０ａ〜３０ｄを特定する情報を含む。図６に示すように、事前画面１０１には、表示画面１００（図５）と同様に、インクカートリッジ３０ａ〜３０ｄの位置に対応してインク色を示す文字１０１ｂを表示してもよい。
【００８３】
事前画面１０１は、フィルター３３の状態が、至急交換すべき状態ではないが、使用限界が近づいている場合に表示される画面である。例えば、状態推定部５０ｇが、第１インク量閾値に基づき、フィルター３３の状態が、使用限界に比較的近い状態であると推定した場合に、報知制御部５０ｉにより表示される。
【００８４】
図７は、表示パネル２０ａに表示される画面の例を示す図であり、フィルター寿命に関する報知を行うためのフィルターライフ画面１０２の一例を示す。
図７のフィルターライフ画面１０２には、インクカートリッジ３０ａ〜３０ｄの位置に対応してインク色を示す文字１０２ｂと、インクカートリッジ３０ａ〜３０ｄの各々が備えるフィルター３３の状態を示すグラフ１０２ｃとが表示される。グラフ１０２ｃは、フィルター３３の状態を示す情報として、各フィルター３３のインク通過量を、段階的に示すグラフである。グラフ１０２ｃの一目盛りは、例えば、１Ｌのインク通過量を示す。インク通過量の表示は、フィルター３３の寿命（ライフ）を示すものといえることから、フィルターライフ画面１０２には、フィルターライフ表示であることを示すメッセージ１０２ａが表示される。
【００８５】
フィルターライフ画面１０２は、フィルター３３の状態を報知する画面であり、フィルター３３が使用限界に近い状態であるときに表示される。従って、例えば、フィルターライフ画面１０２は、例えば、状態推定部５０ｇが、第２インク量閾値に基づき、フィルター３３の状態が、使用限界に近い状態であると推定した場合に、報知制御部５０ｉにより表示される。なお、フィルターライフ画面１０２は、フィルター３３が使用限界に近い状態でなくても表示可能である。
【００８６】
図８は、表示パネル２０ａに表示される画面の例を示す図であり、フィルター寿命に関する報知を行うためのワーニング画面１０３を示す。
図８のワーニング画面１０３には、図７のフィルターライフ画面１０２と同様に、インクカートリッジ３０ａ〜３０ｄの位置に対応してインク色を示す文字１０３ａと、フィルター３３のインク通過量を示すグラフ１０３ｂとが表示される。
【００８７】
ワーニング画面１０３には、グラフ１０３ｂに対応する位置に、インクカートリッジ３０へのインクの補充禁止を示す所定のマーク１０３ｃを付加して表示することができる。マーク１０３ｃは、対象のインクカートリッジ３０にインクを補充するユーザーの行為を、視覚的に強く抑制する画像であり、報知の一種である。
また、ワーニング画面１０３には、メッセージ１０３ｄ、１０３ｅが表示される。メッセージ１０３ｄは、インクカートリッジ３０のフィルター３３が寿命であることを示すメッセージである。メッセージ１０３ｅは、これ以上のインクの補充を抑止するメッセージである。
【００８８】
ワーニング画面１０３は、フィルター３３の状態が寿命に達した状態である場合に表示される画面である。例えば、状態推定部５０ｇが、第３インク量閾値に基づき、フィルター３３の状態が、寿命（使用限界）に達した状態（第１状態）であると推定した場合に、報知制御部５０ｉにより表示される。
【００８９】
図９は、表示パネル２０ａに表示される画面の例を示す図であり、ワーニング画面１０４の例を示す。
図９のワーニング画面１０４は、ワーニング画面１０３のメッセージ１０３ｄ、１０３ｅ（図８）と同様に、フィルター３３に関するメッセージ１０４ａ、１０４ｂが表示される。メッセージ１０４ａは、インクカートリッジ３０のフィルター３３が寿命であることを示すメッセージである。メッセージ１０４ｂは、これ以上のインクの補充を抑止するメッセージである。
また、ワーニング画面１０４には、図７のフィルターライフ画面１０２と同様に、インクカートリッジ３０ａ〜３０ｄの位置に対応してインク色を示す文字１０４ｃが表示されるが、グラフ１０２ｃ（図７）の表示が省略される。
ワーニング画面１０４は、例えば、ワーニング画面１０３（図８）と同じタイミング、或いは同じ条件下で表示される。
【００９０】
図１０は、表示パネル２０ａに表示される画面の例を示す図であり、フィルター交換に関する報知を行うための強いワーニング画面１０５を示す。
図１０のワーニング画面１０５は、フィルター３３に関するメッセージ１０５ａ、１０５ｂが表示される。メッセージ１０５ａは、インクカートリッジ３０のフィルター３３が寿命であることを示すメッセージである。メッセージ１０５ｂは、インクカートリッジ３０の交換を促すメッセージである。
【００９１】
また、ワーニング画面１０５には、図７のフィルターライフ画面１０２と同様に、インクカートリッジ３０ａ〜３０ｄの位置に対応してインク色を示す文字１０５ｃが表示されるが、グラフ１０２ｃ（図７）の表示が省略される。
【００９２】
ワーニング画面１０５は、フィルター３３に目詰まりが生じており、フィルター３３の交換が必要な状態である場合に表示される画面である。例えば、状態推定部５０ｇが、モーター負荷判定部５０ｅの判定結果とインク温度判定部５０ｆの判定結果とに基づき、フィルター３３の状態が、目詰まりを生じている状態（第２状態）であると推定した場合に、報知制御部５０ｉにより表示される。
【００９３】
報知制御部５０ｉは、モーター負荷判定部５０ｅの判定結果に従って、より強くフィルター３３の交換を促し、インクカートリッジ３０へのインクの補充を抑止する報知（ワーニング）を行うことも可能である。例えば、ワーニング画面１０５の表示により報知を行った後に、上述した第２状態に比べてフィルター３３の目詰まりがより進行している状態と推定される場合には、より強いワーニングを行ってもよい。具体的には、ワーニング画面１０５より強い表現でフィルター３３の交換を奨めるメッセージを含む画面を表示させてもよい。
【００９４】
具体的には、ワーニング画面１０５を表示した後に、モーター負荷判定部５０ｅが、ポンプモーター２５の負荷が増大したと判定した場合、報知制御部５０ｉは、より強いワーニングを含む画面を表示させる。この画面は、例えば、ワーニング画面１０５が含むメッセージの表現が、より強く交換を奨める言語表現等で構成された画面である。
【００９５】
また、報知制御部５０ｉは、カートリッジ交換判定部５０ｈの判定結果に従って、より強いワーニングを行ってもよい。具体的には、ワーニング画面１０５の表示後にインクカートリッジ３０の着脱が検出され、カートリッジ交換判定部５０ｈが、交換後のインクカートリッジ３０が新品でないと判定した場合に、より強いワーニングを行ってもよい。この場合、報知制御部５０ｉは、強いワーニングを含む画面を表示させてもよいし、ワーニング画面１０５を繰り返し表示させてもよい。強いワーニングを行う場合、文字や画像等の色や態様を変更してもよく、例えば、文字の大きさを通常のワーニングを表示しているときのサイズよりも大きくしたり、文字の色を赤などの目立つ色に変えたりしてもよい。
【００９６】
図１１〜図１４は、インクジェットプリンター１の動作を示すフローチャートである。図１１、図１２、および図１３に示す動作は、制御部５０により、インクカートリッジ３０ａ、３０ｂ、３０ｃ、３０ｄのそれぞれについて実行される。
【００９７】
図１１のフローチャートは、インク補充回数をカウントする動作を示す。
制御部５０は、装着部２２に装着されたインクカートリッジ３０にインクが補充されたか否かを判定する（ステップＳ１０）。ステップＳ１０で、制御部５０は、補充ボタン１００ｃ（図５）に対する操作を検出したか否かに基づき、インクが補充されたか否かを判定する。上述のように、補充ボタン１００ｃはインクカートリッジ３０ａ〜３０ｄの各々に対応して配置される。制御部５０は、補充ボタン１００ｃの操作を検出した場合に、操作された補充ボタン１００ｃに対応するインクカートリッジ３０にインクが補充されたと判定する。インクが補充されていないと判定した場合（ステップＳ１０；ＮＯ）、制御部５０は、本処理を終了する。
【００９８】
インクが補充されたと判定した場合（ステップＳ１０；ＹＥＳ）、制御部５０は、読書部２３を制御し、ＩＣチップ３４の記憶領域３４２からインク補充回数を読み取り、ＲＡＭまたは記憶部７０に一時的に記憶する（ステップＳ１１）。制御部５０は、一時記憶したインク補充回数に１を加算し、インク補充回数を更新する（ステップＳ１２）。
【００９９】
制御部５０は、更新したインク補充回数と、１回のインク補充量として予め設定された値とに基づき、インク通過量を算出する（ＳステップＳ１３）。算出されたインク通過量は、ＩＣチップ３４から読み取られた識別情報に対応付けて、ＲＡＭまたは記憶部７０に記憶される。制御部５０は、ステップＳ１２で更新した補充回数を、読書部２３によってＩＣチップ３４に書き込み（ステップＳ１４）、本処理を終了する。
【０１００】
制御部５０は、図１１の動作を、装着部２２にインクカートリッジ３０が装着される毎に実行してもよい。例えば、インクカートリッジ３０が装着されてから所定時間以内に限り、補充ボタン１００ｃの操作を受け付けてもよい。或いは、インクジェットプリンター１の電源がＯＮの間は、常時、補充ボタン１００ｃの操作を受け付けてもよい。
【０１０１】
図１２のフローチャートは、インク消費量を計測する動作を示す。
制御部５０は、印刷ヘッド４１からのインクの吐出量を取得する（ステップＳ２０）。制御部５０は、制御部５０の制御により印刷ヘッド４１を駆動する場合に、印刷ヘッド４１の駆動により噴射されるインクの量を算出し、ステップＳ２０で取得する。また、例えば、制御部５０がステップＳ２０で取得するインク消費量の単位は、印刷ヘッド４１の動作を制御する場合の単位よりも大きい量であってもよい。
【０１０２】
制御部５０は、読書部２３によって、ＩＣチップ３４の記憶領域３４２からインク消費量を読み取り、ＲＡＭまたは記憶部７０に一時的に記憶する（ステップＳ２１）。制御部５０は、一時記憶したインク消費量にステップＳ２０で取得したインク吐出量を加算し、インクの消費量を更新する（ステップＳ２２）。制御部５０は、ステップＳ２２で更新したインクの消費量を、読書部２３によって記憶領域３４２に書き込み（ステップＳ２３）、本処理を終了する。
【０１０３】
インクジェットプリンター１は、図１１に示す動作と図１２に示す動作のうちの少なくともいずれかを実施し、インク通過量を求める。具体的には、インクジェットプリンター１が、インク補充回数をカウントすることでインク通過量を管理するよう設定された場合、図１１の動作が実行される。この場合、ＩＣチップ３４の記憶領域３４２には、インク補充回数を含むデータが記録される。また、インクジェットプリンター１が、インク消費量に基づきインク通過量を管理するよう設定された場合、図１２の動作が実行される。この場合、記憶領域３４２には、インク消費量を含むデータが記録される。いずれの場合にも、求められたインク通過量は、インクカートリッジ３０の識別情報に対応付けて記憶部７０に記憶され、後述する図１３の動作で参照される。
【０１０４】
また、図１１に示す動作と図１２に示す動作との両方を、制御部５０が実行することも可能である。この場合、制御部５０は、図１１に示す動作で求められるインク通過量と、図１２に示す動作で求められるインク通過量とを、別の値として、記憶部７０に記憶してもよい。制御部５０は、これらの値の平均値、或いは、多い方の値を、インク通過量として用い、後述する図１３の動作において参照すればよい。
【０１０５】
図１３のフローチャートは、フィルター３３の状態の推定及び報知を行う動作を示す。
以下の説明では、一例として、第１インク量閾値を３９Ｌとし、第２インク量閾値を４０Ｌとし、第３インク量閾値を５０Ｌとする。
【０１０６】
制御部５０は、インクがフィルターを３９Ｌ通過したか否か、すなわち、インク通過量が３９Ｌ（第１インク量閾値）以上であるか否かを判定する（ステップＳ３０）。ステップＳ３０で、制御部５０は、上述したステップＳ１２（図１１）および／またはステップＳ２２（図１２）で更新され、ＲＡＭまたは記憶部７０に記憶されているインク通過量を参照する。後述するステップＳ３２、Ｓ３４も同様である。
【０１０７】
制御部５０は、インク通過量が３９Ｌ以上と判定した場合（ステップＳ３０；ＹＥＳ）、表示パネル２０ａに、フィルター３３の寿命に関する事前の情報を含む画面（例えば、図６の事前画面１０１）を表示させ（ステップＳ３１）、ステップＳ３２に移行する。
【０１０８】
インク通過量が３９Ｌ未満と判定した場合（ステップＳ３０；ＮＯ）、制御部５０は、ステップＳ３６に移行する。
ステップＳ３２で、制御部５０は、インクがフィルター３３を４０Ｌ以上通過したか否か、すなわちインク通過量が４０Ｌ（第２インク量閾値）以上か否かを判定する（ステップＳ３２）。インク通過量が４０Ｌ未満と判定した場合（ステップＳ３２;ＮＯ）、制御部５０は、ステップＳ３６に移行する。
【０１０９】
インク通過量が４０Ｌ以上と判定した場合（ステップＳ３２;ＹＥＳ）、制御部５０は、表示パネル２０ａに、インク通過量を示す情報を含む画面（例えば、図７のフィルターライフ画面１０２）を表示させる（ステップＳ３３）。
【０１１０】
制御部５０は、インクがフィルター３３を５０Ｌ通過したか否か、すなわち、インク通過量が５０Ｌ（第３インク量閾値）以上か否かを判定する（ステップＳ３４）。インク通過量が５０Ｌ未満と判定した場合（ステップＳ３４;ＮＯ）、制御部５０は、ステップＳ３６に移行する。
【０１１１】
インク通過量が５０Ｌ以上と判定した場合（ステップＳ３４;ＹＥＳ）、制御部５０は、ステップＳ３５に移行する。制御部５０は、表示パネル２０ａに、フィルター３３が寿命に達したので、インクの補充を制限することを示すワーニングを含む画面（例えば、図８のワーニング画面１０３）を表示させ（ステップＳ３５）、ステップＳ３６に移行する。
【０１１２】
ステップＳ３６で、制御部５０は、ポンプモーター２５の負荷が過負荷か否かを判定する（ステップＳ３６）。過負荷でないと判定した場合（ステップＳ３６；ＮＯ）、制御部５０は、ステップＳ３０に戻る。また、過負荷と判定した場合（ステップＳ３６；ＹＥＳ）、制御部５０は、温度センサー２８で検出されたインクの温度が温度閾値以上か否かを判定する（ステップＳ３７）。
【０１１３】
インクの温度が低い場合、インクの粘度が高いために、ポンプモーター２５の負荷の値が負荷閾値を超えたと判定される可能性がある。このため、制御部５０は、インクの温度が温度閾値未満であると判定した場合（ステップＳ３７；ＮＯ）、ステップＳ３０に戻る。
【０１１４】
また、インクの温度が温度閾値以上と判定した場合（ステップＳ３７；ＹＥＳ）、制御部５０は、ステップＳ３８に移行する。ステップＳ３８で、制御部５０は、表示パネル２０ａに、フィルター３３の交換を促すワーニングを含む画面（例えば、図１０のワーニング画面１０５）を表示させ（ステップＳ３８）、ステップＳ３９に移行する。
【０１１５】
ステップＳ３８でワーニングを含む画面を表示した後、制御部５０は、ポンプモーター２５の負荷が増大したか否かを判定する（ステップＳ３９）。詳細には、制御部５０は、ステップＳ３８でワーニング画面を表示する前に取得したポンプモーター２５の負荷の値と、所定時間経過後に取得したポンプモーター２５の負荷の値とを比較し、負荷の値が増大しているか否かを判定する。
【０１１６】
制御部５０は、ポンプモーター２５の負荷が増大したと判定した場合（ステップＳ３９；ＹＥＳ）、表示パネル２０ａにより、ステップＳ３８で表示させた画面よりも強いワーニングを含む画面を表示させ（ステップＳ４０）、ステップＳ４１に移行する。
【０１１７】
また、ポンプモーター２５の負荷が増大していないと判定した場合（ステップＳ３９；ＮＯ）、制御部５０は、ステップＳ３８で表示させたワーニングの表示を継続させ、ステップＳ４１に移行する。
【０１１８】
ステップＳ４１で、制御部５０は、インクカートリッジ３０の交換を待機する状態に移行し（ステップＳ４１）、本処理を終了する。ステップＳ４１で移行する待機状態では、インクカートリッジ３０ａ〜３０ｄのうちステップＳ３０〜Ｓ４０の処理を行った対象のインクカートリッジ３０が交換されることを待機する。待機状態では、対象のインクカートリッジ３０については、ステップＳ３８またはステップＳ４０で表示した画面の表示が維持される。また、待機状態では、印刷部４０による印刷、印刷ヘッド４１のメンテナンス、ホストコンピューター（図示略）との通信等、インクジェットプリンター１の種々の機能を実行可能である。また、待機状態では、図１２に示す動作を継続して実行可能であり、印刷ヘッド４１へのインクの供給に応じて、インク通過量が加算され更新される。また、待機状態では、ステップＳ３９におけるポンプモーター２５の負荷が増大したか否かの判定を繰り返し実行してもよい。ここで、負荷が増大したと判定した場合には、ステップＳ４０で表示したようにより強いワーニングを含む画面を表示させてもよい。
【０１１９】
また、ステップＳ４１で移行する待機状態は、対象のインクカートリッジ３０についての待機状態である。制御部５０は、待機状態において、対象のインクカートリッジ３０以外のインクカートリッジ３０について、図１３の動作をステップＳ３０から実行することが可能である。
【０１２０】
ステップＳ４１で移行する待機状態で、対象のインクカートリッジ３０が装着部２２から取り外され、別のインクカートリッジ３０が装着されたことを検出した場合、制御部５０は、ステップＳ３０に戻る。この場合、制御部５０は、表示パネル２０ａの表示を通常状態の画面（例えば、図５の表示画面１００）に切り替えてからステップＳ３０に戻ってもよい。
【０１２１】
ところで、ステップＳ３８、或いはステップＳ４０でワーニングを含む画面が表示された場合、ユーザーが、インクジェットプリンター１の電源をＯＦＦにして、インクカートリッジ３０を交換する可能性がある。すなわち、ステップＳ４１で待機状態に移行した後で、インクジェットプリンター１の電源がＯＦＦにされる場合がある。この場合の制御部５０の動作を図１４に示す。
【０１２２】
図１４のフローチャートは、待機状態で電源がＯＦＦにされた場合の動作を示す。
ユーザーが、ワーニング画面に表示された色、すなわち対象のインクカートリッジ３０を、新品のインクカートリッジ３０に交換する場合に、インクジェットプリンター１の電源をＯＦＦに切り替えることがある（ステップＳ５０）。
【０１２３】
この場合、ユーザーは、インクジェットプリンター１の電源がＯＦＦになっている間に、インクカートリッジ３０を装着部２２から取り外し、新品のインクカートリッジ３０を装着部２２に装着する（ステップＳ５１）。インクカートリッジ３０の交換後、ユーザーによって、インクジェットプリンター１の電源がＯＮに切り替えられる（ステップＳ５２）。
【０１２４】
制御部５０は、ステップＳ４１（図１３）で移行した待機状態で、インクジェットプリンター１の電源が、ＯＦＦ−ＯＮされた場合、交換を待機したインクカートリッジ３０が、別のインクカートリッジ３０に交換されたか否かを判定する（ステップＳ５３）。
すなわち、制御部５０は、待機状態の対象のインクカートリッジ３０が装着されていた装着部２２を特定し、特定した装着部２２に対応する読書部２３によりＩＣチップ３４から識別情報を読み取り、読み取った識別情報を、以前に読み取った識別情報と比較する。識別情報が一致すればインクカートリッジ３０が交換されていない。
【０１２５】
インクカートリッジ３０が交換されていないと判定した場合（ステップＳ５３；ＮＯ）、制御部５０は、表示パネル２０ａに、ワーニングを含む画面を再度表示させ（ステップＳ５４）、待機状態に戻る。ステップＳ５３で表示される画面は、待機状態で表示されていた画面と同一であってもよいし、より強くインクカートリッジ３０の交換を求めるワーニングを含む画面であってもよい。
【０１２６】
インクカートリッジ３０が交換されたと判定した場合（ステップＳ５３；ＹＥＳ）、制御部５０は、本処理を終了する。その後は、図１１または図１２の動作、および、図１３の動作が実行される。
【０１２７】
以上説明したように、実施形態のインクジェットプリンター１は、インクを収容する収容室３１を有し、収容室３１にインクを補充可能なインクカートリッジ３０を備える。インクジェットプリンター１は、収容室３１からフィルター３３を経由して供給されるインクを噴射する印刷ヘッド４１を備える。インクジェットプリンター１は、フィルター３３の状態を推定する状態推定部５０ｇと、報知を行う表示パネル２０ａと、を備える。インクジェットプリンター１は、表示パネル２０ａにより、状態推定部５０ｇによる推定状態に応じて、異なる報知を行う。
【０１２８】
本発明の液体噴射装置を適用したインクジェットプリンター１によれば、インクが通過したフィルター３３の状態を推定し、ユーザーに対してフィルター３３の状態に応じた報知を行う。これにより、ユーザーに対してフィルター３３の状態を知らせることができ、フィルター３３の状態等の管理の負担を軽減できる。
【０１２９】
また、状態推定部５０ｇは、フィルター３３を経由して供給されたインクの量が第３インク量閾値以上の場合に、フィルター３３が寿命に達しており、所定の目詰まりを生じる第１状態であると推定する。これにより、フィルター３３を経由して供給されたインクの量を第３インク量閾値と大小比較することで、フィルター３３が所定の目詰まりを生じる状態になっているかを精度良く推定できる。
【０１３０】
また、インクジェットプリンター１は、収容室３１からフィルター３３を経由して供給されるインクを吸引して印刷ヘッド４１へ送出するポンプ２４を備える。状態推定部５０ｇは、ポンプ２４が備えるポンプモーター２５の負荷の値が負荷閾値よりも大きい場合にフィルター３３が所定の目詰まりを生じる第２状態であると推定する。これにより、フィルター３３を経由して供給されるインクを吸引するポンプ２４のポンプモーター２５の負荷の値を負荷閾値と大小比較することで、フィルター３３が所定の目詰まりを生じる状態になっているかを精度良く推定できる。
【０１３１】
また、インクジェットプリンター１は、フィルター３３の状態が寿命に達した第１状態の場合、インクカートリッジ３０の収容室３１へのインクの補充を制限するよう報知を行う。また、インクジェットプリンター１は、フィルター３３が目詰まりを生じている第２状態の場合、さらにインクカートリッジ３０の交換に関する報知を行う。
【０１３２】
これにより、フィルター３３の複数の状態のそれぞれに対応して報知を行うことができる。ユーザーに対するインクの補充の制限の報知によって、フィルター３３の状態が寿命（使用限界）に達した後にインクが補充されることを防止できる。従って、フィルター３３の状態が使用限界を超えることで、収容室３１内部のインクを使用できなくなる事態を回避でき、ユーザーの利便性の向上を図ることができる。また、ユーザーに対するインクカートリッジ３０の交換を促す報知によって、ユーザーによってインクカートリッジ３０が交換された場合にはフィルター３３を交換できる。
【０１３３】
また、インクジェットプリンター１は、状態推定部５０ｇによってフィルター３３が目詰まりを生じる前の状態であると推定された場合に、表示パネル２０ａにより、フィルター３３の目詰まりに関する報知を行う。これにより、フィルター３３の状態が、目詰まりを生じる前の状態であると推定される場合、フィルター３３の使用限界に近づいているので、ユーザーに対してフィルター３３の寿命が近いことを事前に報知できる。この報知により、例えば、ユーザーは、寿命が近づいている色のインクカートリッジ３０を予め用意することができ、ユーザーの利便性の向上を図ることができる。
【０１３４】
また、インクジェットプリンター１は、フィルター３３を経由して供給されたインクの量であるインク通過量を計測する計測部５０ｄを備える。状態推定部５０ｇは、計測部５０ｄにより計測されたインクの量に基づいて、フィルター３３の状態を推定する。これにより、フィルター３３を通過したインクの量により、フィルターの状態を推定できる。
【０１３５】
また、インクカートリッジ収容部２１は、収容室３１及びフィルター３３を有するインクカートリッジ３０を装着可能な装着部２２を備える。これにより、装着部２２に装着されるインクカートリッジ３０を交換することで、容易にフィルター３３を交換することができ、ユーザーの利便性が向上する。
【０１３６】
また、インクジェットプリンター１は、装着部２２に装着されたインクカートリッジ３０が備えるＩＣチップ３４に対し、計測部５０ｄにより計測されたインクの量を示す情報を書込及び読取を実行する読書部２３を備える。状態推定部５０ｇは、読書部２３によってＩＣチップ３４から読み取られたインクの量に関する情報に基づいて、フィルター３３の状態を推定する。これにより、インクカートリッジ３０が備えるＩＣチップ３４に記憶されている情報を用いて、フィルター３３の状態を推定できる。例えば、インクジェットプリンター１以外の他のインクジェットプリンターでインクカートリッジ３０が利用された場合でも、その他のインクジェットプリンターでもＩＣチップ３４に記憶されている情報を用いてフィルター３３の状態を推定できる。
【０１３７】
また、インクジェットプリンター１は、インクの温度を検出する温度センサー２８を備える。状態推定部５０ｇは、温度センサー２８により検出されるインクの温度、及びポンプモーター２５の負荷の状態に基づいて、フィルター３３の状態を推定する。これにより、ポンプ２４の負荷の状態に加えて、インクの粘度に相関関係があるインクの温度を用いることにより、フィルター３３の状態を、より精度良く推定できる。
【０１３８】
また、インクジェットプリンター１は、表示パネル２０ａによりフィルター３３の目詰まりの状態に関する報知を行った後に、ポンプモーター２５の負荷が増大した場合に、表示パネル２０ａによる報知の状態を変更する。これにより、フィルター３３の状態が更に低下しているおそれがあるので、ユーザーに対してより強い報知を行うことができ、ユーザーに対してインクカートリッジ３０の交換をより強く促すことができる。
【０１３９】
また、本発明を適用したインクカートリッジ３０は、インクを注入可能な注入口３２と、インクを収容する収容室３１と、収容室３１から外部にインクを供給する際にインクを通過させるフィルター３３とを備える。インクカートリッジ３０は、フィルター３３を通過して供給されたインクの量を示す情報を記憶可能なＩＣチップ３４を備え、ＩＣチップ３４には収容室３１の容積の２倍以上のインクがフィルター３３を通過して供給されるまでの情報を記憶可能である。
【０１４０】
この構成によれば、インクを補充可能なインクカートリッジ３０を交換することで、フィルター３３を交換でき、ユーザーの利便性の向上を図ることができる。また、インクカートリッジ３０のＩＣチップ３４に、フィルター３３を通過したインクに関する情報を記憶でき、ＩＣチップ３４に記憶された情報を用いてフィルター３３の状態を推定できる。例えば、インクジェットプリンター１とは異なるプリンターで、ＩＣチップ３４の情報を読み取ることにより、インクカートリッジ３０のフィルター３３の状態を推定できる。また、他のプリンターで使用されたインクカートリッジ３０のフィルター３３の状態を、ＩＣチップ３４に記憶された情報に基づいて、容易に、高精度で推定できる。
【０１４１】
また、インクカートリッジ３０のフィルター３３は、少なくとも収容室３１の容積の１０倍以上のインクを通過させることが可能であり、ＩＣチップ３４が、フィルター３３を通過して供給可能なインクの量の上限に対応する情報を記憶可能である。これにより、ＩＣチップ３４に、フィルター３３を通過して供給可能な量の上限まで、インク通過量に関する情報を記憶させることができる。このため、フィルター３３の状態が、いわゆる寿命に達するまで、ＩＣチップ３４に記憶された情報に基づき、フィルター３３の状態を管理できる。
【０１４２】
また、インクカートリッジ３０は、ＩＣチップ３４がフィルター３３を通過して供給されたインクの量を収容室３１の容積を単位として示すインク補充回数を含む情報を記憶する記憶領域３４２を有する。これにより、記憶領域３４２の容量を低減できる。インクカートリッジ３０のＩＣチップ３４に記憶されるインク補充回数から、フィルター３３を通過したインクの量を計測できる。また、ＩＣチップ３４にインクの補充回数を記憶させる場合、ＩＣチップ３４の記憶領域を低減できる。
【０１４３】
なお、上記実施形態は本発明を適用した一具体例を示すものであり、本発明はこれに限定されるものではない。
【０１４４】
例えば、上記実施形態では、インク通過量、ポンプモーター２５の負荷、及び、インクの温度に基づきフィルター３３の状態を推定する例を説明したが、インク通過量のみに基づきフィルター３３の状態を推定してもよい。また、ポンプモーター２５の負荷のみに基づきフィルター３３の状態を推定してもよいし、ポンプモーター２５の負荷とインクの温度とに基づきフィルター３３の状態を推定してもよい。
【０１４５】
また、上記実施形態では、フィルター３３の状態が使用限界に達したか否かを、第１インク量閾値、第２インク量閾値、および、第３インク量閾値により段階的に判定する例を説明した。本発明はこれに限定されず、フィルター３３が使用限界に達したか否かを、インク通過量に関する１の値だけを用いて判定を行ってもよい。
【０１４６】
また、例えば、上記実施形態では、インクジェットプリンター１に対し着脱可能なインクカートリッジ３０に、インクの補充が可能な構成を適用した例を説明したが、他の方式にも適用可能である。例えば、インクジェットプリンターがインクを貯留するインクタンクを備え、このインクタンクに対してインクを補充可能な構成としてもよい。
【０１４７】
また、上記実施形態では、インクカートリッジ３０にフィルター３３を備え、インクカートリッジ３０を交換することで、フィルター３３を交換可能なインクジェットプリンター１に適用した。これにより、インクを継ぎ足し可能なインクカートリッジ３０を、装着されているインクジェットプリンター１以外の他のインクジェットプリンターへ差し替える際に、フィルター３３の寿命を管理しつつインクカートリッジ３０を交換できる。このように、インクを補充可能なインクカートリッジ３０を、インクジェットプリンター１に対して着脱可能としたことにより、例えば、印刷時にインクが足りなくなる可能性のあるインクジェットプリンターがある場合に、このインクジェットプリンターへインクを移動させなくても、手間なく印刷を実行（続行）できる。すなわち、インクが足りなくなる可能性のあるインクジェットプリンターのインクカートリッジ３０を交換するだけで、印刷を実行できるようになるため、ユーザー利便性が向上する。また、本発明はこれに限定されず、インクカートリッジ３０以外の位置にフィルター３３が配置されてもよい。例えば、インクジェットプリンター１の本体内におけるインクの流路に、フィルターを配置した構成に、本発明を適用してもよい。
【０１４８】
また、上記実施形態では、表示パネル２０ａにワーニングを含む画面を表示することによって報知を行う構成を説明したが、報知の方法は表示に限定されない。例えば、インクジェットプリンター１からホストコンピューター（図示略）に対して、フィルター３３の状態に関するデータを送信し、ホストコンピューターにより報知を出力してもよい。また、インクジェットプリンター１に報知用の発光部を設け、この発光部の点灯または点滅により報知を行ってもよい。
【０１４９】
また、上記実施形態で液体噴射装置を適用した一例としてインクジェットプリンター１を例示したが、本発明はこれに限定されず、インク以外の他の液体を噴射する液体噴射装置にも適用可能である。例えば、液晶ディスプレイ、ＥＬディスプレイ、面発光ディスプレイ、カラーフィルターの製造等に用いられる電極材や色材等の材料を分散または溶融のかたちで含む液体を噴射する液体噴射装置がある。また、バイオチップ製造に用いられる生体有機物を噴射する液体噴射装置がある。また、精密ピペットとして用いられる試料となる液体を噴射する液体噴射装置がある。また、捺染装置やマイクロディスペンサー等の液体噴射装置がある。また、時計やカメラ等の精密機械にピンポイントで潤滑油を噴射する液体噴射装置がある。また、光通信素子等に用いられる微小半球レンズ（光学レンズ）等を形成するために紫外線硬化樹脂等の透明樹脂液を基板上に噴射する液体噴射装置がある。また、基板等のエッチングするための酸またはアルカリ等のエッチング液を噴射する液体噴射装置がある。
【０１５０】
また、上記実施形態では、ＣＭＹＫの４色のインクを用いるカラー印刷のインクジェットプリンター１を例示したが、これら４色に特色インクを加えた多色のインクを用いるフルカラー印刷、或いはモノクロ印刷や２色印刷等にも適用可能である。
【０１５１】
また、制御部５０のＣＰＵが実行するプログラムはインクジェットプリンター１が備える記憶部に限られず、他の記憶装置、記憶媒体や外部装置の記憶媒体に上記プログラムを記憶させ、制御部５０により読み出して実行する構成としてもよい。
【０１５２】
また、上記実施形態で制御部５０に各機能部５０ａ〜５０ｉを有する構成としたが、一つのプロセッサーがプログラムを実行することで複数の機能部の機能を実現する構成としてもよい。また、ソフトウェアで実現される機能の一部をハードウェアで構成してもよい。
【符号の説明】
【０１５３】
１…インクジェットプリンター（液体噴射装置）、１０…脚台、１１…本体、１２…繰出部、１３…開閉カバー、１４…ロール体支持部、２０…タッチパネル、２０ａ…表示パネル（報知部）、２０ｂ…タッチセンサー、２１…インクカートリッジ収容部、２２…装着部、２３…読書部、２４…ポンプ、２５…ポンプモーター、２６…チューブ、２７…ポンプモーター回転検出部、２８…温度センサー、３０…インクカートリッジ（液体収容部）、３１…収容室、３２…注入口、３３…フィルター、３４…ＩＣチップ（記憶媒体）、３５…排出口、４０…印刷部、４１…印刷ヘッド（液体噴射部）、５０…制御部、５０ａ…通信制御部、５０ｂ…表示制御部、５０ｃ…読書制御部、５０ｄ…計測部、５０ｅ…モーター負荷判定部、５０ｆ…インク温度判定部、５０ｇ…状態推定部、５０ｈ…カートリッジ交換判定部、５０ｉ…報知制御部、６０…通信部、７０…記憶部、８０…搬送部、１００…表示画面、１００ｃ…補充ボタン、１０１…事前画面、１０１ａ、１０２ａ、１０３ｄ、１０３ｅ、１０４ａ、１０４ｂ、１０５ａ、１０５ｂ…メッセージ、１０２…フィルターライフ画面、１０２ｃ…グラフ、１０３、１０４、１０５…ワーニング画面、Ｍ…メディア、Ｒ…ロール体。
【図１】
2019042961.tif 000003
【図２】
2019042961.tif 000004
【図３】
2019042961.tif 000005
【図４】
2019042961.tif 000006
【図５】
2019042961.tif 000007
【図６】
2019042961.tif 000008
【図７】
2019042961.tif 000009
【図８】
2019042961.tif 000010
【図９】
2019042961.tif 000011
【図１０】
2019042961.tif 000012
【図１１】
2019042961.tif 000013
【図１２】
2019042961.tif 000014
【図１３】
2019042961.tif 000015
【図１４】
2019042961.tif 000016